(57)【要約】【課題】予め監視するキーワードを登録する機能を有することで、入力された映像にテロップが含まれ、さらにそのテロップに登録したキーワードが含まれていた時に、そのテロップを検出することができるユーザ辞書を用いたテロップ監視システムを提供する。【解決手段】テロップ認識サーバ２は、入力された映像にテロップが含まれているかを認識し、テロップが含まれている場合は、さらにテロップに警報キーワード辞書に登録されているキーワードが含まれているかを確認する。キーワードが含まれている場合、ＬＡＮ１０を介して、警報を通知し、ＰＣ４では、警報一覧表示処理５２により、警報一覧を表示する。【選択図】        図１
2005020165.tif 000002
【特許請求の範囲】
【請求項１】
テロップ認識サーバとパーソナルコンピュータとデータベースサーバがＬＡＮによってネットワークを構築し、テロップ認識サーバに入力された映像にテロップが含まれているかを認識するシステムであって、
前記テロップ認識サーバは入力された映像にテロップが含まれているかを監視するテロップ監視手段を有し、
前記データベースサーバは、予め設定したキーワードを蓄積するキーワード蓄積手段を有し、
前記パーソナルコンピュータは、前記テロップ監視手段によって、映像に含まれていたテロップに前記キーワードが含まれていた場合には警報を発するテロップ警報処理手段と有することを特徴とするユーザ辞書を用いたテロップ監視システム。
【請求項２】
前記テロップ監視処理手段は、前記入力された映像に前記テロップが含まれ、前記テロップに前記キーワード蓄積手段によって蓄積されているキーワードが含まれているかを確認するキーワード確認手段を有することを特徴とする請求項１記載のユーザ辞書を用いたテロップ監視システム。
【請求項３】
前記テロップ監視処理手段は、前記キーワード確認手段によって、前記テロップに前記キーワードが含まれていると確認された場合に、前記ＬＡＮを介して前記パーソナルコンピュータが有する前記テロップ警報処理手段へ通知するテロップ警報通知手段を有することを特徴とする請求項１または２記載のユーザ辞書を用いたテロップ監視システム。
【請求項４】
前記テロップ警報処理手段は、前記テロップ警報通知手段からの通知を受信する通知受信手段と、
前記通知受信手段によって通知された情報を表示する表示手段を有することを特徴とする請求項３記載のユーザ辞書を用いたテロップ監視システム。
【請求項５】
前記表示手段は、前記テロップ認識サーバが受信した前記キーワードを含むテロップの受信日時、映像チャンネル、前記キーワード及び内容を表示することを特徴とする請求項４記載のユーザ辞書を用いたテロップ監視システム。
【請求項６】
前記パーソナルコンピュータは、前記表示手段によって表示された情報の映像を再生することができる再生手段を有することを特徴とする請求項５記載のユーザ辞書を用いたテロップ監視システム。
【請求項７】
前記パーソナルコンピュータは、前記キーワード蓄積手段に蓄積されているキーワードの編集処理を行うことができるキーワード編集手段を有することを特徴とする請求項１記載のユーザ辞書を用いたテロップ監視システム。
【請求項８】
前記テロップ認識サーバは、１つの映像チャンネルに対して１つ用いることを特徴とする請求項１記載のユーザ辞書を用いたテロップ監視システム。
【発明の詳細な説明】
【０００１】
【発明の属する技術分野】
本発明は、映像に含まれるテロップを監視するシステムに関し、特に、映像を蓄積し、映像中に表示されるテロップを認識する機能を有するテロップ監視システムに関する。
【０００２】
【従来の技術】
テレビなどの映像には、画面上に速報や字幕といった文字情報（テロップ）が表示される。従来、このテロップは人間が目視で確認しなければならず、常に映像を監視し続けることは困難であった。そのため、テロップをコンピュータによって自動認識する技術が開発されている。このテロップ自動認識技術によって、テロップが表示された日時や内容を自動的に検出することができる。
【０００３】
また、先行技術として以下に示す従来技術がある。
一定周期でテロップ文字認識処理を行うことによる無駄なインデックスファイルの生成を抑制し、蓄積媒体へ書き込まれるテロップ文字表時刻の遅れを改善する（特許文献１参照）。
【０００４】
【特許文献１】
特開平１１−１６７５８３号公報
【０００５】
【発明が解決しようとする課題】
しかしながら、速報などの緊急情報を監視する目的で使用する場合には、テロップ自動認識技術で検出した内容が緊急情報かどうかを判断するためには、結局人間が内容を見て確認しなければならないことである。
【０００６】
本発明は、係る問題に鑑みてなされたものであり、予め監視するキーワードを登録する機能を有することで、入力された映像にテロップが含まれ、さらにそのテロップに登録したキーワードが含まれていた時に、そのテロップを検出することができるユーザ辞書を用いたテロップ監視システムを提供することを目的とする。
【０００７】
【課題を解決するための手段】
上記目的を達成するために請求項１記載のユーザ辞書を用いたテロップ監視システムは、テロップ認識サーバとＰＣとデータベースサーバがＬＡＮによってネットワークを構築し、テロップ認識サーバに入力された映像にテロップが含まれているかを認識するシステムであって、テロップ認識サーバは入力された映像にテロップが含まれているかを監視するテロップ監視手段を有し、データベースサーバは、予め設定したキーワードを蓄積するキーワード蓄積手段を有し、パーソナルコンピュータは、テロップ監視手段によって、映像に含まれていたテロップにキーワードが含まれていた場合には警報を発するテロップ警報処理手段と有することを特徴とする。
【０００８】
請求項２記載の発明は、請求項１記載のユーザ辞書を用いたテロップ監視システムであって、テロップ監視処理手段は、入力された映像にテロップが含まれ、テロップにキーワード蓄積手段によって蓄積されているキーワードが含まれているかを確認するキーワード確認手段を有することを特徴とする。
【０００９】
請求項３記載の発明は、請求項１または２記載のユーザ辞書を用いたテロップ監視システムであって、テロップ監視処理手段は、キーワード確認手段によって、テロップにキーワードが含まれていると確認された場合に、ＬＡＮを介してパーソナルコンピュータが有するテロップ警報処理手段へ通知するテロップ警報通知手段を有することを特徴とする。
【００１０】
請求項４記載の発明は、請求項３記載のユーザ辞書を用いたテロップ監視システムであって、テロップ警報処理手段は、テロップ警報通知手段からの通知を受信する通知受信手段と、通知受信手段によって通知された情報を表示する表示手段を有することを特徴とする。
【００１１】
請求項５記載の発明は、請求項４記載のユーザ辞書を用いたテロップ監視システムであって、表示手段は、テロップ認識サーバが受信したキーワードを含むテロップの受信日時、映像チャンネル、キーワード及び内容を表示することを特徴とする。
【００１２】
請求項６記載の発明は、請求項５記載のユーザ辞書を用いたテロップ監視システムであって、パーソナルコンピュータは、表示手段によって表示された情報の映像を再生することができる再生手段を有することを特徴とする。
【００１３】
請求項７記載の発明は、請求項１記載のユーザ辞書を用いたテロップ監視システムであって、パーソナルコンピュータは、キーワード蓄積手段に蓄積されているキーワードの編集処理を行うことができるキーワード編集手段を有することを特徴とする。
【００１４】
請求項８記載の発明は、請求項１記載のユーザ辞書を用いたテロップ監視システムであって、テロップ認識サーバは、１つの映像チャンネルに対して１つ用いることを特徴とする。
【００１５】
【発明の実施の形態】
次に添付された図面を参照して本発明の実施形態を説明する。
図１は、テロップ監視システムの構成を示した図である。図２は、テロップ監視システムの処理動作を示したフローチャートである。図３は、テロップを監視する映像の例を示した図である。図４は、警報一覧を表示した表を示した図である。図５は、複数のＰＣを有するテロップ監視システムの構成を示した図である。図６は、テロップＤＢ処理手順とＰＣが追加されたテロップ監視システムの構成を示した図である。
【００１６】
図１に示すテロップ監視システムの構成を説明する。
図１に示すテロップ監視システムは、映像録画装置１とテロップ認識サーバ２、ローカルエリアネットワーク１０（以下ＬＡＮ１０とする）、パーソナルコンピュータ４（以下ＰＣ４とする）、ＤＢサーバ８から構成され、テロップ認識サーバ２とＰＣ４、ＤＢサーバ８はＬＡＮ１０によってネットワークを構築している。映像録画装置１およびテロップ認識サーバ２は、映像１チャンネルに対して１台準備し、映像ごとに処理をする。
【００１７】
テロップ認識サーバ２は、テロップ監視処理手順３により映像を処理する。テロップ監視処理手順３は、テロップ自動認識処理３１、警報キーワード確認処理３２、テロップ警報通知処理３３から成り立つ。
また、ＰＣ４は、テロップ警報処理手順５と映像再生ソフトウェア６、キーワード管理手順７から構成され、テロップ警報処理手順５は、テロップ警報受信処理５１と警報一覧表示処理５２から成り立つ。キーワード管理手順７は、警報キーワード編集処理７１から成り立つ。ＤＢサーバ８は、警報キーワード辞書９から構成され、警報キーワード辞書９は、警報キーワード編集処理７１によって編集可能である。
【００１８】
次に本発明のテロップ監視システムの処理動作を説明する。
テロップ認識サーバ２は、警報キーワード辞書９に登録されているキーワードをテロップに発見すると、警報をＬＡＮ１０を介してＰＣ４に通知する。ＰＣ４は、警報を受信するとすぐにテロップ警報一覧に追加し、警報音を鳴らす。また、警報キーワード辞書９は、ＰＣ４から編集することができ、エンドユーザが監視したいキーワードを自由に登録できる。
【００１９】
図１と図２を参照してテロップ監視システムの処理動作を詳細に説明する。
映像１が映像録画装置に録画されると共に、テロップ認識サーバ２では映像１を受信し（ステップＳ１００）、テロップ監視処理手順３におけるテロップ自動認識処理３１により映像１にテロップが含まれているかを判断する（ステップＳ１０１）。映像１にテロップが含まれていない場合には（ステップＳ１０１／ＮＯ）、さらに映像１を受信し（ステップＳ１００）、映像１にテロップが含まれているか判断する（ステップＳ１０１）。また、映像１にテロップが含まれている場合には（ステップＳ１０１／ＹＥＳ）、次に警報キーワード確認処理３２によって、映像１に含まれているテロップに、警報キーワード辞書９に登録されているキーワードが含まれているかを判断する（ステップＳ１０２）。
【００２０】
映像１に含まれているテロップに警報キーワード辞書９に登録されているキーワードが含まれていない場合は（ステップＳ１０２／ＮＯ）、さらに映像１を受信し（ステップＳ１００）、次に映像１にテロップが含まれているかを判断する（ステップＳ１０１）。また、映像１に含まれているテロップに警報キーワード辞書９に登録されているキーワードが含まれている場合は（ステップＳ１０２／ＹＥＳ）、テロップ警報通知処理３３により、ＬＡＮ１０を介してＰＣ４内のテロップ警報処理手順５内のテロップ警報受信処理５１に通知される（ステップＳ１０３）。テロップ警報受信処理５１が警報を受信すると警報一覧表示処理５２によってテロップの情報が一覧表示され（図４に示す）、警報音を発する（ステップＳ１０４）。さらに、次に映像を処理するために、映像を受信し（ステップＳ１００）、映像にテロップが含まれているかを判断する（ステップＳ１０１）。
【００２１】
次に図３を参照して具体例を示す。
図３に示す映像をテロップ認識サーバ２が受信した場合に、テロップ自動認識処理３１では、“１０：３０”、“気象情報”、“晴れのちくもり”を認識する。この時、警報キーワード辞書に“気象”というキーワードが登録されていた場合は、警報キーワード確認処理３２が“気象情報”というテロップを警報対象として検出し、テロップ警報通知処理３３がＬＡＮ１０を介してＰＣ４に警報を通知し、ＰＣ４内のテロップ警報受信処理が警報を受信すると、次に警報一覧表示処理５２によりテロップ情報が一覧表示され、警報音が発せられる。
【００２２】
また、ＰＣ４内の警報一覧表示処理５２によって、テロップの情報を一覧表示する。この一覧表示を図４に示す。図４では、警報キーワードを検出した日時、映像チャンネル、警報キーワード、テロップの内容が表示される。さらに、テロップ情報の一覧から任意に情報を選択することにより、映像再生ソフトウェア６が起動され、テロップが表示された映像が映像録画装置１から検索されて再生される。
【００２３】
図５は、複数のＰＣを有するテロップ監視システムの構成を示した図である。
テロップ警報通知処理３３は、ＬＡＮ１０にブロードキャストもしくはマルチキャストで通知する。図５では、複数台のＰＣ４でテロップ警報受信処理５１を起動し、ＬＡＮ１０にブロードキャストもしくはマルチキャストで通知された警報を受信して、それぞれ警報一覧を表示する。
また、警報キーワード編集処理７１も複数起動されるため、排他制御によって警報キーワード辞書９の編集が実施される。
【００２４】
図５に示すシステムは、複数の箇所でテロップ監視を実施する場合、ＬＡＮ１０に接続された複数のＰＣ４で警報を発することができる。
【００２５】
図６は、図１で示す構成に警報キーワード辞書９とさらにテロップ警報ＤＢ処理１２１とテロップ警報ＤＢを有するＤＢ８とテロップ警報検索処理１４１と映像再生ソフトウェア６を有するＰＣ１３が追加された構成となっている。
テロップ警報通知処理３３は、ＬＡＮ１０にブロードキャストもしくはマルチキャストで通知する。テロップ警報ＤＢ処理１２１が警報を受信し、テロップ警報ＤＢ１２２に登録する。ＰＣ４では、テロップ警報検索処理１４１により、全文検索によってテロップ警報を検索し、その結果を表示する。
ＰＣ１３は、ＬＡＮ１０に複数台存在してもよい。図６では、リアルタイムでテロップ警報を監視するＰＣ４とは別に、過去のテロップ警報を検索して確認できる。
【００２６】
【発明の効果】
以上の説明から明らかなように、本発明のユーザ辞書を用いたテロップ監視システムは、人間が映像を常時監視することなく、目的に応じたテロップのみを自動的に検出することができる。特に、映像チャンネルが複数になれば、その効果は顕著である。
【図面の簡単な説明】
【図１】本発明の実施形態におけるテロップ監視システムの構成を示した図である。
【図２】本発明の実施形態におけるテロップ監視システムの処理動作を示したフローチャートである。
【図３】本発明の実施形態におけるテロップ監視する映像の例を示した図である。
【図４】本発明の実施形態における警報一覧を表示した表を示した図である。
【図５】本発明の実施形態における複数のＰＣを有するテロップ監視システムの構成を示した図である。
【図６】本発明の実施形態におけるテロップＤＢ処理手順とＰＣが追加されたテロップ監視システムの構成を示した図である。
【符号の説明】
１  映像録画装置
２  テロップ認識サーバ
３  テロップ監視処理手順
４  ＰＣ
５  テロップ警報処理手順
６  映像再生ソフトウェア
７  キーワード管理手順
８  ＤＢサーバ
９  警報キーワード辞書
１０  ローカルエリアネットワーク
３１  テロップ自動認識処理
３２  警報キーワード確認処理
３３  テロップ警報通知処理
５１  テロップ警報受信処理
５２  警報一覧表示処理
７１  警報キーワード編集処理
【図１】
2005020165.tif 000003
【図２】
2005020165.tif 000004
【図３】
2005020165.tif 000005
【図４】
2005020165.tif 000006
【図５】
2005020165.tif 000007
【図６】
2005020165.tif 000008